(57)【要約】【課題】リモコン受光部の感度を良好にできるとともに、意匠性を向上させることができるトイレ装置を提供する。【解決手段】トイレ装置は、便器の上方に設けられるケースと、前記ケースの内部に設けられ前記便器を洗浄するための洗浄水を貯留するタンクと、前記ケースの内部に設けられた電気機器と、前記ケースの内部に設けられ前記電気機器を制御する制御部と、前記ケースの上端側を覆う着脱可能なケース蓋と、を備えている。前記ケース蓋には、電線により前記制御部に接続されたリモコン受光部が一体的に設けられている。【選択図】図１
2020133279.tif 000002
【特許請求の範囲】
【請求項１】
便器の上方に設けられるケースと、
前記ケースの内部に設けられ前記便器を洗浄するための洗浄水を貯留するタンクと、
前記ケースの内部に設けられた電気機器と、
前記ケースの内部に設けられ前記電気機器を制御する制御部と、
前記ケースの上端側を覆う着脱可能なケース蓋と、
を備え、
前記ケース蓋には、電線により前記制御部に接続されたリモコン受光部が一体的に設けられていることを特徴とするトイレ装置。
【請求項２】
前記リモコン受光部は、正面視で視認できない位置に設けられていることを特徴とする請求項１に記載のトイレ装置。
【請求項３】
前記ケースの上面部には、前記電線を保持する電線保持部と、前記電線のコネクタを保持するコネクタ保持部と、のうち少なくとも一方が設けられていることを特徴とする請求項１または２に記載のトイレ装置。
【請求項４】
前記電線保持部は、前記ケースの前記上面部から上方に向けて突出するリブ部と、前記電線を挟んで前記リブ部の後方に位置し前記上面部から上方に向けて突出するフック部と、を備え、
前記フック部は、前記上面部から上方に向けて延びる延出板部と、前記延出板部の上端に設けられ前記リブ部に向けて突出する突部と、を有し、
前記突部の下面は、前記延出板部から前記リブ部に向けて上向きに傾斜する傾斜面となっていることを特徴とする請求項３に記載のトイレ装置。
【請求項５】
前記コネクタ保持部は、前記コネクタを挟んで前後方向に離間し前記ケースの前記上面部から突出する前突出部と後突出部と、を備え、
前記前突出部と前記後突出部とには、内部に位置する前記コネクタが上方に移動したときに、前記前突出部と前記後突出部とが開くように前記コネクタにより押圧される押圧面がそれぞれ設けられていることを特徴とする請求項３または４に記載のトイレ装置。
【発明の詳細な説明】
【技術分野】
【０００１】
本発明の態様は、一般的に、リモコンの操作により作動するトイレ装置に関する。
【背景技術】
【０００２】
トイレ室の壁面に、便器洗浄や衛生洗浄装置による吐水などを指示するためのリモコン装置を設けることがある。この場合、便器や衛生洗浄装置などのトイレ装置は、リモコン装置の投光部から発信された指令信号をトイレ装置のリモコン受光部で受信する。このようなリモコン受光部が、便器洗浄に用いられる洗浄水を貯留するタンクを内蔵するタンクカバーに設けられることがある（特許文献１、２）。
【先行技術文献】
【特許文献】
【０００３】
【特許文献１】実開平０４−９２０８３号公報
【特許文献２】特開２００６−２０４３８１号公報
【発明の概要】
【発明が解決しようとする課題】
【０００４】
特許文献１によるトイレ装置のリモコン受光部は、タンクカバーの前面側に設けられている。特許文献２によるトイレ装置のリモコン受光部は、タンクカバーの上端側で人体検知センサユニットの内部に設けられている。  
しかし、特許文献１、２に記載されたリモコン受光部は、使用者の目立つ位置に設けられているので、意匠性が悪くなる虞がある。
【０００５】
本発明は、かかる課題の認識に基づいてなされたものであり、リモコン受光部の感度を良好にできるとともに、意匠性を向上させることができるトイレ装置を提供することを目的とする。
【課題を解決するための手段】
【０００６】
第１の発明は、便器の上方に設けられるケースと、前記ケースの内部に設けられ前記便器を洗浄するための洗浄水を貯留するタンクと、前記ケースの内部に設けられた電気機器と、前記ケースの内部に設けられ前記電気機器を制御する制御部と、前記ケースの上端側を覆う着脱可能なケース蓋と、を備え、前記ケース蓋には、電線により前記制御部に接続されたリモコン受光部が一体的に設けられていることを特徴とするトイレ装置である。
【０００７】
このトイレ装置によれば、リモコン受光部がケース蓋に設けられているので、使用者に目立たず、トイレ装置全体の意匠性を向上することができる。また、リモコン受光部がケース蓋に一体的に設けられているので、ケース蓋を取外したときにリモコン受光部も一緒に取外され、ケース蓋の交換に対応しやすくなっている。すなわち、ケースには、例えば手洗いなしのケース蓋や、手洗いありのケース蓋など形状、機能が異なるケース蓋を取付ける（交換する）ことができる。この場合、各ケース蓋にリモコン受光部が一体的に設けられているので、いずれのケース蓋をケースに取付けても、リモコン受光部が信号を受光しやすいトイレ装置の上部側に位置することになる。従って、リモコン受光部は、リモコンから発信される指令信号を受光しやすく、感度を良好に保つことができる。
【０００８】
第２の発明は、第１の発明において、前記リモコン受光部は、正面視で視認できない位置に設けられていることを特徴とするトイレ装置である。
【０００９】
このトイレ装置によれば、トイレ装置の正面から見えない位置にリモコン受光部が設けられているので、トイレ装置の意匠性を向上することができる。
【００１０】
第３の発明は、第１または第２の発明において、前記ケースの上面部には、前記電線を保持する電線保持部と、前記電線のコネクタを保持するコネクタ保持部と、のうち少なくとも一方が設けられていることを特徴とするトイレ装置である。
【００１１】
このトイレ装置によれば、リモコン受光部から制御部に向けて延びる電線がケースの上面部で乱雑になるのを抑制することができる。また、ケースとケース蓋との間に電線が挟まれるのを抑制することができる。
【００１２】
第４の発明は、第３の発明において、前記電線保持部は、前記ケースの前記上面部から上方に向けて突出するリブ部と、前記電線を挟んで前記リブ部の後方に位置し前記上面部から上方に向けて突出するフック部と、を備え、前記フック部は、前記上面部から上方に向けて延びる延出板部と、前記延出板部の上端に設けられ前記リブ部に向けて突出する突部と、を有し、前記突部の下面は、前記延出板部から前記リブ部に向けて上向きに傾斜する傾斜面となっていることを特徴とするトイレ装置である。
【００１３】
このトイレ装置によれば、リブ部とフック部とにより電線が抜出るのを抑制することができる。また、多くのトイレ室においては、ケースおよびケース蓋の後方は壁面となっている。従って、ケース蓋をケースから取外すときには、ケース蓋を前側に向けて開くことになる。この場合、突部の下面が電線を上前方に向けて案内する傾斜面となっているので、電線に過度の引張りを与えることなく、電線保持部から電線を取外すことができる。これにより、ケース蓋を取外すときに、電線が過度に引張られるのを低減することができるので、電線が断線するのを抑制できる。
【００１４】
第５の発明は、第３または第４の発明において、前記コネクタ保持部は、前記コネクタを挟んで前後方向に離間し前記ケースの前記上面部から突出する前突出部と後突出部と、を備え、前記前突出部と前記後突出部とには、内部に位置する前記コネクタが上方に移動したときに、前記前突出部と前記後突出部とが開くように前記コネクタにより押圧される押圧面がそれぞれ設けられていることを特徴とするトイレ装置である。
【００１５】
このトイレ装置によれば、前突出部と後突出部とによりコネクタを保持することができる。また、ケース蓋をケースから取外すときには、コネクタが前突出部の押圧面と後突出部の押圧面とを押圧する。これにより、コネクタは、前突出部と後突出部とを開くので、コネクタおよび電線に過度な引張りを与えることなく、コネクタ保持部からコネクタを外すことができる。これにより、ケース蓋を取外すときに、コネクタおよび電線が過度に引張られるのを低減することができるので、電線が断線するのを抑制できる。
【発明の効果】
【００１６】
本発明の態様によれば、リモコン受光部の感度を良好にできるとともに、意匠性を向上させることができるトイレ装置が提供される。
【図面の簡単な説明】
【００１７】
【図１】本発明の実施形態にかかるトイレ装置を模式的に示す斜視図である。
【図２】リモコンとトイレ装置との通信システムを示すブロック図である。
【図３】図１中のトイレ装置を正面からみた正面図である。
【図４】ケースからケース蓋を取外した状態を示す斜視図である。
【図５】図４中の電線保持部を拡大して示す斜視図である。
【図６】図１中のトイレ装置を側面からみた側面図である。
【図７】図６中のケースからケース蓋を取外した状態を示す側面図である。
【図８】ケース蓋を取外したときに電線が電線保持部の上方に持上げられた状態を示す断面図である。
【図９】ケース蓋を持上げて電線が電線保持部から外れる状態を示す断面図である。
【図１０】ケースに他のケース蓋を取付けたトイレ装置を示す図１と同様の斜視図である。
【図１１】図１０中のトイレ装置を正面からみた図１と同様の正面図である。
【図１２】図４中のコネクタ保持部を拡大して示す斜視図である。
【図１３】図１０中のトイレ装置を側面からみた側面図である。
【図１４】図１３中のケースから他のケース蓋を取外した状態を示す側面図である。
【図１５】他のケース蓋を取外したときにコネクタがコネクタ保持部の上方に持上げられた状態を示す断面図である。
【図１６】他のケース蓋を持上げてコネクタがコネクタ保持部から外れる状態を示す断面図である。
【図１７】本発明のケース蓋の変形例を示す側面図である。
【発明を実施するための形態】
【００１８】
以下、本発明の実施形態について図面を参照しつつ説明する。なお、各図面中、同様の構成要素には同一の符号を付して詳細な説明は適宜省略する。また、以下の実施形態の説明では、「上側」、「下側」、「前側」、「後側」、「右側」、および「左側」を用いるが、これらの方向は、便座に座った使用者から見た方向である。
図１は、本発明の実施形態にかかるトイレ装置を模式的に示す斜視図である。
図２は、リモコンとトイレ装置との通信システムを示すブロック図である。
図３は、図１中のトイレ装置を正面からみた正面図である。
【００１９】
図１に示すように、トイレ装置１は、便器２（洋式腰掛便器）と、便器２の上側に設けられた便座装置３とを備えている。便器２は、中央部が下方に向けて窪んだボウル部となっており、このボウル部において使用者の尿や便などの排泄物を受ける。
【００２０】
便座装置３は、便器２の上方に設けられたケース１０と、ケース１０の上端側を覆うケース蓋２０と、ケース１０の前側で回動可能に取付けられた便蓋３０と、便蓋３０の下側に位置してケース１０に回動可能に取付けられた便座（図示せず）とを備えている。
【００２１】
ケース１０は、内部が空洞のボックス状に形成されている。ケース１０の内部には、制御部４０と、制御部４０により制御される電気機器が内蔵されている。電気機器は、例えば便蓋３０および便座を開閉させる電動開閉ユニット５０、便座の温度を制御する便座暖房ユニット５１、人体局部の洗浄を行う身体洗浄ユニット５２、および便器２を洗浄するための便器洗浄ユニット５３などを挙げることができる。なお、電気機器は、これに限らず、脱臭ユニットや室内暖房ユニットなどトイレ装置に付設されるものでもよい。
【００２２】
これらユニットは、トイレ室の壁面に設けられたリモコン１００からの指令信号により作動する。リモコン１００は、例えば便蓋３０や便座の開閉ボタン、便座暖房ボタン、局部洗浄ボタン、および便器洗浄ボタンなどの操作部１０１と、操作部１０１に接続された制御部１０２と、制御部１０２によりトイレ装置１のリモコン受光部６０に向けて赤外線による指令信号を発信する投光部１０３とを有している。すなわち、リモコン１００は、ケース１０内に設けられた電気機器を遠隔操作することができる。
【００２３】
電動開閉ユニット５０は、制御部４０と接続されており、制御部４０の制御に基づいて便蓋３０または便座を自動的に開閉する。制御部４０は、例えばリモコン１００の操作部１０１の操作に応じて電動開閉ユニット５０を駆動することにより、便蓋３０または便座を開閉する。また、制御部４０は、例えばケース１０に設けられた人体検知センサ（図示せず）による人体の検知に基づいて便蓋３０を開き、人体検知センサによる人体の非検知に基づいて便蓋３０を閉じる。
【００２４】
便座暖房ユニット５１は、制御部４０と接続されており、制御部４０の制御に基づいて便座の座面を温める。制御部４０は、例えば便座の座面の温度がリモコン１００の操作部１０１の操作によって設定された温度となるように、便座の内部に設けられたヒータの駆動を制御する。
【００２５】
身体洗浄ユニット５２は、制御部４０と接続されており、制御部４０の制御に基づいておしりなどの局部に洗浄水を吐水するノズルを進退移動させる。この場合、制御部４０は、リモコン１００の操作部１０１の操作によって、ノズルの位置およびノズルから吐水される洗浄水の流速を変化させる。
【００２６】
便器洗浄ユニット５３は、制御部４０と接続されており、制御部４０の制御に基づいて便器２を洗浄する。便器洗浄ユニット５３は、便器２を洗浄するための洗浄水を貯留するタンク５３０を有している。タンク５３０の上面側には、タンク５３０内に連通する開口５３１が形成されている。この開口５３１には、後述する他のケース蓋２００の排出口２０３が接続される。制御部４０は、リモコン１００の操作部１０１の操作によって、例えばタンク５３０の開閉弁を開き、タンク５３０内の洗浄水を便器２のボウル部に流出させる。
【００２７】
ケース蓋２０は、ケース１０の上端側を覆っている。換言すると、ケース蓋２０は、ケース１０内に設けられたタンク５３０の上方を覆っている。ケース蓋２０は、ケース１０の上端側（上面部１０ａと開口１０ｂ）を閉塞している。このケース蓋２０は、ケース１０の上端側に着脱可能に取付けられている。そして、ケース蓋２０は、平坦面をなす上面板２１と、上面板２１の外縁から下方に向けて延びる前面板２２、左側面板２３、右側面板２４、および後面板２５とにより、下方が開放された皿状に形成されている。図１、図３に示すように、ケース蓋２０をケース１０に被せたときには、前面板２２、左側面板２３、右側面板２４がそれぞれケース１０と同一面をなすようになっている。これにより、トイレ装置１は、全体的に洗練された意匠となっている。
【００２８】
リモコン受光部６０は、ケース蓋２０に一体的に設けられている。これにより、ケース蓋２０をケース１０から取外したときには、リモコン受光部６０も一緒に取外されるようになっている。ケース蓋２０がケース１０に取付けられているときには、リモコン受光部６０は電線６１により制御部４０に接続され、リモコン１００からの指令信号を制御部４０に送信している。
【００２９】
図３に示すように、リモコン受光部６０は、正面視で視認できない位置に設けられている。具体的には、リモコン受光部６０は、ケース蓋２０の後面板２５に設けられている。この場合、後面板２５は、上面板２１の後端から斜め下方向に延び、下方に向けて屈曲している。この屈曲部位のうち左右方向の中央部には、リモコン受光部６０の受光窓６０ａが設けられている。
【００３０】
リモコン受光部６０の受光素子６０ｂは、受光窓６０ａに対応する位置で、後面板２５の裏面に設けられている。受光素子６０ｂは、例えば受光方向が上向きになるように後面板２５に設けられている。これにより、リモコン受光部６０は、リモコン１００の投光部１０３から発信された指令信号（赤外線）をトイレ室の天井などに反射させて、ケース蓋２０の上方から効率よく受信することができる。
【００３１】
このように、リモコン受光部６０をケース蓋２０のうち、正面視で視認できない位置に設けることで、感度を良好に保つことができるとともに、使用者に目立たずトイレ装置全体の意匠性を向上することができる。
【００３２】
次に、リモコン受光部６０から制御部４０に延びる電線６１の途中部位が位置するケース１０の上面部１０ａについて説明する。
図４は、ケースからケース蓋を取外した状態を示す斜視図である。
図５は、図４中の電線保持部を拡大して示す斜視図である。
図６は、図１中のトイレ装置を側面からみた側面図である。
図７は、図６中のケースからケース蓋を取外した状態を示す側面図である。
図８は、ケース蓋を取外したときに電線が電線保持部の上方に持上げられた状態を示す断面図である。
図９は、ケース蓋を持上げて電線が電線保持部から外れる状態を示す断面図である。
【００３３】
図４に示すように、ケース１０の上面は、外周側が所定の幅を持った上面部１０ａとなり、中央部がケース１０内に連通する開口１０ｂとなっている。ケース１０内に配設されたタンク５３０などの機器は、開口１０ｂからメンテナンスを行うことができる。そして、ケース１０の上面部１０ａには、電線６１を保持する電線保持部７０が設けられている。
【００３４】
電線保持部７０は、例えばポリプロピレンなどの樹脂材料により形成され、上面部１０ａのうち後端側の右寄りに位置して、上面部１０ａから上方に向けて突出している。この場合、電線保持部７０は、ケース蓋２０がケース１０に被されたときに、リモコン受光部６０よりも右側に位置している。そして、図５に示すように、電線保持部７０は、上面部１０ａから上方に向けて突出するリブ部７１と、電線６１を挟んでリブ部７１の後方に位置し、上面部１０ａから上方に向けて突出するフック部７４とを備えている。
【００３５】
リブ部７１は、フック部７４よりも左右方向の長さ寸法が大きく形成されている。リブ部７１は、左右方向に延びる横板７２と、横板７２の左端から後方に向けて延びる縦板７３とによりＬ字状に形成されている。リブ部７１の横板７２は、電線６１の前側を保持している。
【００３６】
リブ部７１の横板７２は、フック部７４に対面して上面部１０ａから上方に向けて延びる縦面７２ａと、縦面７２ａの上端から前方に向けて上向きに傾斜するリブ傾斜面７２ｂとを有している。一方、リブ部７１の縦板７３の上面は、後端側に位置して前後方向に延びる平坦面７３ａと、平坦面７３ａの前端からリブ傾斜面７２ｂに向けて上向きに延びる上向き面７３ｂとを有している。すなわち、リブ部７１の上面は、後側から前側に向けて上向きに傾斜している。
【００３７】
フック部７４は、上面部１０ａから上方に向けて延びる延出板部７５と、延出板部７５の上端に設けられリブ部７１の横板７２に向けて突出する突部７６とを有している。フック部７４の延出板部７５は、左右方向に延びる板材からなり、電線６１の後側を保持している。延出板部７５は、横板７２の縦面７２ａに対面する立上り面７５ａが鉛直方向に延びている。延出板部７５の厚さ方向（前後方向）の寸法Ｌ１は、リブ部７１の横板７２の厚さ寸法Ｌ２よりも小さく形成されている。一例を挙げると、延出板部７５の寸法Ｌ１は、２．０〜２．５mm程度に形成され、横板７２の寸法Ｌ２は、３．０〜３．５mm程度に形成されている。これにより、電線６１をリブ部７１とフック部７４との間に挿入するときおよび電線６１を抜くときに、延出板部７５が撓みやすくなっている。
【００３８】
フック部７４の突部７６の下面は、延出板部７５からリブ部７１に向けて上向きに傾斜する傾斜面となっている。具体的には、フック部７４の突部７６は、立上り面７５ａの上端からリブ部７１に向けて上向きに傾斜する第１傾斜面７６ａと、リブ傾斜面７２ｂに対面して第１傾斜面７６ａの上端から後方に向けて上向きに傾斜する第２傾斜面７６ｂとを有している。第１傾斜面７６ａは、突部の下面となっており、本発明の傾斜面を構成している。
【００３９】
フック部７４の突部７６は、電線６１が上前方に向けて引張られたときに、第１傾斜面７６ａが電線６１をリブ部７１とフック部７４との間の開口に導く。すなわち、第１傾斜面７６ａと立上り面７５ａとのなす角は、９０°以上１８０°以下となっている。これにより、電線６１は、電線保持部７０に引っ掛かることなく、リブ部７１とフック部７４との間から抜ける。また、突部７６の第２傾斜面７６ｂは、リブ部７１のリブ傾斜面７２ｂとの間でリブ部７１とフック部７４との間の開口を広くしているので、リブ部７１とフック部７４との間に電線６１を挿入しやすくなっている。なお、第２傾斜面７６ｂは、第１傾斜面７６ａから傾斜することなく、第１傾斜面７６ａの上端から後方に延びる平面としてもよい。
【００４０】
ケース１０の上面部１０ａの右端側には、ケース１０内に貫通する電線挿通孔８０が設けられている。この電線挿通孔８０には、リモコン受光部６０から電線保持部７０を介して延びる電線６１がケース１０内に向けて挿通する。電線挿通孔８０の前側には、電線掛け部８１が設けられている。この電線掛け部８１は、上面部１０ａの前端側に設けられている。この電線掛け部８１は、電線挿通孔８０から制御部４０に向けて延びる電線６１を引っ掛けるものである。すなわち、図６に示すように、ケース蓋２０をケース１０から取外すときに必要な電線６１の余長部分６１ａを電線掛け部８１に引っ掛けている。
【００４１】
次に、ケース１０からケース蓋２０を着脱するときの作動について説明する。
【００４２】
まず、ケース蓋２０をケース１０に取付ける場合について説明する。
最初に、制御部４０から延びる電線６１を電線掛け部８１に引っ掛ける。そして、電線６１をケース１０内から電線挿通孔８０を介してケース１０外に挿通させる。次に、ケース蓋２０の後面板２５に設けられているリモコン受光部６０と電線６１とを図示しないコネクタにより接続する。そして、ケース蓋２０をケース１０の上方に移動させながら、電線６１の余長部分６１ａを電線挿通孔８０からケース１０内に挿通させる。
【００４３】
次に、電線６１を電線保持部７０のリブ部７１とフック部７４との間に差込む。この場合、図５に示すように、リブ部７１のリブ傾斜面７２ｂとフック部７４の第２傾斜面７６ｂとにより上方の開口が広くなっている。従って、リブ傾斜面７２ｂと第２傾斜面７６ｂとは、電線６１をリブ部７１とフック部７４との間に挿入しやすくしている。
【００４４】
その後、ケース蓋２０をケース１０の上端側に取付ける。この場合、ケース１０の上面部１０ａを延びる電線６１は、上面部１０ａの後端側に設けられた電線保持部７０に保持されている。これにより、電線保持部７０は、電線６１が上面部１０ａからはみ出すのを抑制している。従って、ケース蓋２０をケース１０に被せるときに、電線６１がケース１０とケース蓋２０との間に挟まるのを抑制することができる。
【００４５】
次に、ケース蓋２０をケース１０から取外す場合について説明する。
図７に示すように、ケース蓋２０は、ケース１０から前方に向けて取外される。この場合、電線６１は、余長部分６１ａが電線挿通孔８０から引張られる。それに従って、電線６１は、リブ部７１の横板７２に干渉することなく、上向き面７３ｂに沿って滑らかに上方へと導かれる。
【００４６】
そして、図９に示すように、電線６１は、フック部７４の第１傾斜面７６ａにより上前方へと導かれながら、フック部７４の延出板部７５を後方に向けて弾性変形させて電線保持部７０から抜出る。この場合、リブ部７１のリブ傾斜面７２ｂが上斜め前方に向けて傾斜しているので、電線６１はリブ傾斜面７２ｂに沿って滑らかに抜出る。これにより、電線６１が電線保持部７０に引っ掛かるのを低減して、電線６１の断線を抑制することができる。その後、電線６１をリモコン受光部６０から取外して、ケース蓋２０とリモコン受光部６０とをトイレ室の外に持出すことができる。
【００４７】
次に、ケース蓋２０に換えて、手洗機能を備えた他のケース蓋２００をケース１０に取付けた場合について説明する。
図１０は、ケースに他のケース蓋を取付けたトイレ装置を示す図１と同様の斜視図である。
図１１は、図１０中のトイレ装置を正面からみた図１と同様の正面図である。
図１２は、図４中のコネクタ保持部を拡大して示す斜視図である。
図１３は、図１０中のトイレ装置を側面からみた側面図である。
図１４は、図１３中のケースから他のケース蓋を取外した状態を示す側面図である。
図１５は、他のケース蓋を取外したときにコネクタがコネクタ保持部の上方に持上げられた状態を示す断面図である。
図１６は、他のケース蓋を持上げてコネクタがコネクタ保持部から外れる状態を示す断面図である。
【００４８】
ケース蓋２００は、ケース１０の上端側を覆っている。換言すると、ケース蓋２００は、ケース１０内に設けられたタンク５３０の上方を覆っている。ケース蓋２００は、ケース１０の上端側（上面部１０ａと開口１０ｂ）を閉塞している。ケース蓋２００は、ケース１０の上端側に着脱可能に取付けられている。このケース蓋２００は、手洗いボウル２０１を有する。手洗いボウル２０１の上端側には、手洗い用の水を手洗いボウル２０１に向けて吐出するスパウト２０２が設けられている。
【００４９】
手洗いボウル２０１は、下端側にタンク５３０の開口５３１に連通する排出口２０３が設けられている。スパウト２０２から吐出された水は、手洗いボウル２０１の排出口２０３を通じてタンク５３０内に導かれる。図１０、図１１に示すように、ケース蓋２００をケース１０に被せたときには、前面板２０４、左側面板２０５、右側面板２０６がそれぞれケース１０と同一面をなすようになっている。これにより、トイレ装置１は、全体的に洗練された意匠となっている。
【００５０】
リモコン受光部６００は、ケース蓋２００に一体的に設けられている。これにより、ケース蓋２００をケース１０から取外したときには、リモコン受光部６００も一緒に取外されるようになっている。ケース蓋２００がケース１０に取付けられているときには、リモコン受光部６００は電線６１０により制御部４０に接続され、リモコン１００からの指令信号を制御部４０に送信している。
【００５１】
図１１に示すように、リモコン受光部６００は、正面視で視認できない位置に設けられている。具体的には、リモコン受光部６００は、ケース蓋２００の後面板２０７の上端側に設けられている。この場合、リモコン受光部６００は、後面板２０７から突出している。そして、リモコン受光部６００は、例えば受光素子の受光方向が上向きになるように後面板２０７に設けられている。これにより、リモコン受光部６００は、リモコン１００の投光部１０３から発信された指令信号（赤外線）をトイレ室の天井などに反射させて、ケース蓋２００の上方から効率よく受信することができる。
【００５２】
電線６１０は、リモコン受光部６００から延びる第１電線６１１と制御部４０から延びる第２電線６１２とがコネクタ６１３により接続されている。このコネクタ６１３は、ケース蓋２００を持上げたときに、ケース蓋２００の下端付近に設けられている。これにより、ケース蓋２００内に手を差入れなくても、簡単に第１電線６１１と第２電線６１２との接続および取外しを行うことができる。そして、コネクタ６１３は、ケース蓋２００をケース１０に被せた状態ではケース１０の上面部１０ａに設けられたコネクタ保持部９０に保持される。
【００５３】
コネクタ保持部９０は、例えばポリプロピレンなどの樹脂材料により形成され、上面部１０ａの右端側後方に設けられている。具体的には、コネクタ保持部９０は、電線挿通孔８０の後方に位置して、上面部１０ａから上方に向けて突出している。この場合、コネクタ保持部９０は、ケース蓋２００がケース１０に被されたときに、リモコン受光部６００の下方に位置している。そして、図１２に示すように、コネクタ保持部９０は、コネクタ６１３の第１電線６１１側が収納される第１収納部９１と、コネクタ６１３の第２電線側６１２側が収納される第２収納部９２と、第１収納部９１と第２収納部９２との間に位置してコネクタ６１３を保持する中保持部９３とを有している。
【００５４】
第１収納部９１は、上方が開放された凹状となっており、左側面に開口９１ａが形成されている。第１収納部９１は、コネクタ６１３を収納したときに、開口９１ａから第１電線６１１が挿通する。一方、第２収納部９２は、上方が開放された凹状となっており、右側面に開口９２ａが形成されている。第２収納部９１は、コネクタ６１３を収納したときに、開口９２ａから第２電線６１２が挿通する。
【００５５】
中保持部９３は、コネクタ６１３を挟んで前後方向に離間し、ケース１０の上面部１０ａから突出する前突出部９４と後突出部９７とを備えている。前突出部９４は、ケース１０の上面部１０ａから上方に向けて延びる壁部９５と、壁部９５の上端側に設けられ後方に向けて突出する凸部９６とを有している。凸部９６の下面は、コネクタ保持部９０の内部に位置するコネクタ６１３が上方に移動したときに、前突出部９４を弾性的に前側に移動するようにコネクタ６１３により押圧される押圧面９６ａとなっている。
【００５６】
一方、後突出部９７も前突出部９４と同様に、壁部９８と凸部９９とを有している。凸部９９の下面は、コネクタ保持部９０の内部に位置するコネクタ６１３が上方に移動したときに、後突出部９７を弾性的に後側に移動するようにコネクタ６１３により押圧される押圧面９９ａとなっている。壁部９５の厚さ寸法Ｌ３と壁部９８の厚さ寸法Ｌ４とは、ほぼ同じ寸法に形成され、例えば１．５〜２．０mm程度となっている。これにより、コネクタ６１３をコネクタ保持部９０内に挿入するときおよびコネクタ６１３を抜くときに、前突出部９４と後突出部９７とが撓みやすくなっている。
【００５７】
次に、ケース１０からケース蓋２００を着脱するときの作動について説明する。
【００５８】
まず、ケース蓋２００をケース１０に取付ける場合について説明する。
最初に、制御部４０から延びる第２電線６１２を電線掛け部８１に引っ掛ける。そして、第２電線６１２をケース１０内から電線挿通孔８０を介してケース１０外に挿通させる。次に、ケース蓋２００の後面板２０７に設けられているリモコン受光部６００から延びる第１電線６１１と第２電線６１２とをコネクタ６１３により接続する。そして、ケース蓋２００をケース１０の上方に移動させながら、第２電線６１２を電線挿通孔８０からケース１０内に挿通させる。
【００５９】
次に、コネクタ６１３をコネクタ保持部９０に差込む。その後、ケース蓋２００をケース１０の上端側に取付ける。この場合、ケース１０の上面部１０ａを延びる電線６１０は、コネクタ６１３が上面部１０ａに設けられたコネクタ保持部９０に保持されている。これにより、コネクタ保持部９０は、電線６１０が上面部１０ａからはみ出すのを抑制している。従って、ケース蓋２００をケース１０に被せるときに、電線６１０がケース１０とケース蓋２０との間に挟まるのを抑制することができる。
【００６０】
次に、ケース蓋２００をケース１０から取外す場合について説明する。
図１４に示すように、ケース蓋２００は、ケース１０から前方に向けて取外される。この場合、コネクタ６１３は、コネクタ保持部９０内を上方へと移動する。そして、図１６に示すように、コネクタ６１３は、前突出部９４の壁部９５と後突出部９７の壁部９８とを開くように押圧面９６ａと押圧面９９ａとを押圧する。これにより、コネクタ６１３をコネクタ保持部９０から抜出させることができる。その後、第１電線６１１と第２電線６１２とのコネクタを取外して、ケース蓋２００とリモコン受光部６００とをトイレ室の外に持出すことができる。
【００６１】
このように、ケース１０の上面部１０ａには、ケース蓋２０をケース１０に取付けるときに電線６１が保持される電線保持部７０と、ケース蓋２００をケース１０に取付けるときに電線６１１のコネクタ６１３が保持されるコネクタ保持部９０との両方を設けている。これにより、ケース１０の汎用性を向上することができる。
【００６２】
また、図３に示すように、ケース蓋２０に設けられたリモコン受光部６０は、正面視で視認できないケース蓋２０の後面板２５に設けられている。また、リモコン受光部６０は、ケース蓋２０の上端側に設けられている。また、図１１に示すように、ケース蓋２００に設けられたリモコン受光部６００は、正面視で視認できないケース蓋２００の後面板２０７に設けられている。また、リモコン受光部６００は、ケース蓋２００の上端側に設けられている。これにより、トイレ装置１全体の意匠性を向上することができるとともに、リモコン受光部６０、６００は障害物の少ない上方から指令信号を受信することができるので、受信感度を良好に保つことができる。
【００６３】
かくして、本実施形態によるトイレ装置１によれば、リモコン受光部６０、６００がケース蓋２０、２００に設けられているので、使用者に目立たず、トイレ装置１の全体の意匠性を向上することができる。また、リモコン受光部６０、６００がケース蓋２０、２００に一体的に設けられているので、ケース蓋２０、２００を取外したときにリモコン受光部６０、６００も一緒に取外され、ケース蓋の交換に対応しやすくなっている。すなわち、ケース１０には、例えば手洗いなしのケース蓋２０や、手洗いありのケース蓋２００など形状、機能が異なるケース蓋を取付ける（交換する）ことができる。この場合、各ケース蓋２０、２００にリモコン受光部６０、６００が設けられているので、いずれのケース蓋２０、２００をケース１０に取付けても、リモコン受光部６０、６００が信号を受光しやすいトイレ装置１の上部側に位置することになる。従って、リモコン受光部６０、６００は、リモコン１００から発信される指令信号を受光しやすく、感度を良好に保つことができる。
【００６４】
また、このトイレ装置１によれば、トイレ装置１の正面から見えない位置にリモコン受光部６０、６００が設けられているので、トイレ装置１の意匠性を向上することができる。
【００６５】
また、このトイレ装置１によれば、電線保持部７０またはコネクタ保持部９０により、リモコン受光部６０、６００から制御部４０に向けて延びる電線６１、６１０がケース１０の上面部１０ａで乱雑になるのを抑制することができる。また、ケース１０とケース蓋２０、２００との間に電線６１、６１０が挟まれるのを抑制することができる。
【００６６】
また、このトイレ装置１によれば、リブ部７１とフック部７４とにより電線６１が抜出るのを抑制することができる。また、多くのトイレ室においては、ケース１０およびケース蓋２０の後方は壁面となっている。従って、ケース蓋２０をケース１０から取外すときには、ケース蓋２０を前側に向けて開くことになる。この場合、突部７６の下面が電線６１を上前方に向けて案内する傾斜面（第１傾斜面７６ａ）となっているので、電線６１に過度の引張りを与えることなく、電線保持部７０から電線６１を取外すことができる。これにより、ケース蓋２０を取外すときに、電線６１が過度に引張られるのを低減することができるので、電線６１が断線するのを抑制できる。
【００６７】
また、このトイレ装置１によれば、前突出部９４と後突出部９７とによりコネクタ６１３を保持することができる。また、ケース蓋２００をケース１０から取外すときには、コネクタ６１３が前突出部９４の押圧面９６ａと後突出部９７の押圧面９９ａとを押圧する。これにより、コネクタ６１３は、前突出部９４と後突出部９７とを開くので、コネクタ６１３および電線６１１に過度な引張りを与えることなく、コネクタ保持部９０からコネクタ６１３を外すことができる。これにより、ケース蓋２００を取外すときに、コネクタ６１３および電線６１１が過度に引張られるのを低減することができるので、電線６１１が断線するのを抑制できる。
【００６８】
なお、上述した実施形態では、ケース蓋２０に設けられたリモコン受光部６０の受光窓６０ａをケース蓋２０の後面板２５と同一面上に設けた場合を例に挙げて説明した。しかし、本発明はこれに限らず、例えば図１７に示す変形例のように、ケース蓋２００で用いたリモコン受光部６００をケース蓋２０の後面板２５に取付けてもよい。
【００６９】
また、上述した実施形態では、ケース蓋２０に設けられたリモコン受光部６０の受光窓６０ａをケース蓋２０の後面板２５と同一面上に設けた場合を例に挙げて説明した。しかし、本発明はこれに限らず、例えばケース蓋２０の前面板２２以外ならば前面視でリモコン受光部６０を視認できないので、リモコン受光部６０をケース蓋２０の上面板２１、左側面板２３、および右側面板２４に設けてもよい。また、ケース蓋２００の左側面板２０５、右側面板２０６、および後面板２０７にリモコン受光部６０を設けてもよい。
【００７０】
また、上述した実施形態では、ケース１０の上面部１０ａに電線保持部７０とコネクタ保持部９０との両方を設けた場合を例に挙げて説明した。しかし、本発明はこれに限らず、例えばケース１０の上面部１０ａに電線保持部７０のみを設けていてもよいし、コネクタ保持部９０のみを設けていてもよい。
【００７１】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、トイレ装置が備える各要素の形状、寸法、材質、配置などは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【符号の説明】
【００７２】
１ トイレ装置、  ２ 便器、  ３ 便座装置、  １０ ケース、  １０ａ 上面部、  １０ｂ 開口、  ２０ ケース蓋、  ２１ 上面板、  ２２ 前面板、  ２３ 左側面板、  ２４ 右側面板、  ２５ 後面板、  ３０ 便蓋、  ４０ 制御部、  ５０ 電動開閉ユニット、  ５１ 便座暖房ユニット、  ５２ 身体洗浄ユニット、  ５３ 便器洗浄ユニット、  ６０ リモコン受光部、  ６０ａ 受光窓、  ６０ｂ 受光素子、  ６１ 電線、  ６１ａ 余長部分、  ７０ 電線保持部、  ７１ リブ部、  ７２ 横板、  ７２ａ 縦面、  ７２ｂ リブ傾斜面、  ７３ 縦板、  ７３ａ 平坦面、  ７３ｂ 上向き面、  ７４ フック部、  ７５ 延出板部、  ７５ａ 立上り面、  ７６ 突部、  ７６ａ 第１傾斜面、  ７６ｂ 第２傾斜面、  ８０ 電線挿通孔、  ８１ 電線掛け部、  ９０ コネクタ保持部、  ９１ 第１収納部、  ９１ａ 開口、  ９２ 第２収納部、  ９２ａ 開口、  ９３ 中保持部、  ９４ 前突出部、  ９５ 壁部、  ９６ 凸部、  ９６ａ 押圧面、  ９７ 後突出部、  ９８ 壁部、  ９９ 凸部、  ９９ａ 押圧面、  １００ リモコン、  １０１ 操作部、  １０２ 制御部、  １０３ 投光部、  ２００ ケース蓋、  ２０１ 手洗いボウル、  ２０２ スパウト、  ２０３ 排出口、  ２０４ 前面板、  ２０５ 左側面板、  ２０６ 右側面板、  ２０７ 後面板、  ５３０ タンク、  ５３１ 開口、  ６００ リモコン受光部、  ６１０ 電線、  ６１１ 第１電線、  ６１２ 第２電線、  ６１３ コネクタ
【図１】
2020133279.tif 000003
【図２】
2020133279.tif 000004
【図３】
2020133279.tif 000005
【図４】
2020133279.tif 000006
【図５】
2020133279.tif 000007
【図６】
2020133279.tif 000008
【図７】
2020133279.tif 000009
【図８】
2020133279.tif 000010
【図９】
2020133279.tif 000011
【図１０】
2020133279.tif 000012
【図１１】
2020133279.tif 000013
【図１２】
2020133279.tif 000014
【図１３】
2020133279.tif 000015
【図１４】
2020133279.tif 000016
【図１５】
2020133279.tif 000017
【図１６】
2020133279.tif 000018
【図１７】
2020133279.tif 000019